(57)【特許請求の範囲】
【請求項１】
上部を開放し接続端子を上方から載置して個々に収容する複数の溝部を有するホルダと、該ホルダの溝部を上方から覆うカバーと、前記ホルダと前記カバーの組立体を覆う外装カバーとから成り、前記ホルダには、前記溝部に収容した前記接続端子の上下方向の移動を規制する係止突起を設けると共に、底面の前端に接続端子の前方への移動を規制し相手側接続端子を受け入れるガイドを備えたホルダ前壁部を設け、前記ホルダ、前記カバーの一方又は双方には、収容した前記接続端子の後方への移動を規制する移動防止手段を設け、前記外装カバーの前部には、外装カバー前壁部を設け前記ホルダのホルダ前壁部のガイドと対となって機能するガイドを備えたことを特徴とする電気コネクタハウジング。
【請求項２】
前記ホルダの上下両面に前記複数の溝部を形成し、これらの溝部を上下両面から前記カバーにより覆い、前記接続端子を複数段に収容したことを特徴とする請求項１に記載の電気コネクタハウジング。
【請求項３】
前記ホルダと前記カバーの間に上面を前記ホルダと同等の構造とし、下面を前記カバーと同等の構造とした中間ホルダを介在したことを特徴とする請求項１又は２に記載の電気コネクタハウジング。
【請求項４】
前記中間ホルダのカバー構造の前部には、中間ホルダ前壁部を設けると共に、該中間ホルダ前壁部には前記ホルダのホルダ前壁部のガイドと対となって機能するガイドを備えたことを特徴とする請求項３に記載の電気コネクタハウジング。
【請求項５】
前記積み重ねた各部材は相互に固定するロック手段を設けたことを特徴とする請求項１〜４の何れか１つの請求項に記載の電気コネクタハウジング。
【請求項６】
前記外装カバーに相手側ハウジングとの嵌合状態をロックするロック手段を設けたことを特徴とする請求項１〜５の何れか１つの請求項に記載の電気コネクタハウジング。
【発明の詳細な説明】
【技術分野】
【０００１】
本発明は、小型の接続端子を収容するための電気コネクタハウジングに関するものである。
【背景技術】
【０００２】
例えば、自動車等の電気回路の接続に用いられる接続端子は、益々小型化されつつある。【０００３】
一般に電気コネクタハウジングに収納した接続端子を係止するには、電気コネクタハウジング内に設けられた可撓性の係止ランスによっている。
【発明の開示】
【発明が解決しようとする課題】
【０００４】
しかし、接続端子が小型化されると、射出成型によりハウジング内に係止ランスを成型することが困難となり、形成してもその係止力は弱いものである。【０００５】
この問題を解決するために、図４３に示すようにハウジングの後部にリアホルダ１を取り付けるようにし、このリアホルダ１に係止ランス２を付設することが例えば特許文献１に開示されている。【０００６】
しかし、このような構成によっても、なお小型の係止ランス２の成型が困難で接続端子に対する係止力は十分ではない。【０００７】
【特許文献１】特開２００４−３９５３５号公報
【０００８】
本発明の目的は、上述の課題を解消し、小型の接続端子であっても大きな係止力により接続端子を固定し得る電気コネクタハウジングを提供することにある。
【課題を解決するための手段】
【０００９】
上述の目的を達成するための本発明に係る電気コネクタハウジングの技術的特徴は、上部を開放し接続端子を上方から載置して個々に収容する複数の溝部を有するホルダと、該ホルダの溝部を上方から覆うカバーと、前記ホルダと前記カバーの組立体を覆う外装カバーとから成り、前記ホルダには、前記溝部に収容した前記接続端子の上下方向の移動を規制する係止突起を設けると共に、底面の前端に接続端子の前方への移動を規制し相手側接続端子を受け入れるガイドを備えたホルダ前壁部を設け、前記ホルダ、前記カバーの一方又は双方には、収容した前記接続端子の後方への移動を規制する移動防止手段を設け、前記外装カバーの前部には、外装カバー前壁部を設け前記ホルダのホルダ前壁部のガイドと対となって機能するガイドを備えたことにある。
【発明の効果】
【００１０】
本発明に係る電気コネクタハウジングによれば、コネクタの寸法がより小型化した場合においても、大きな端子係止力を確保できる。
【図面の簡単な説明】
【００１１】
【図１】接続端子の平面図である。
【図２】接続端子の一部を切欠した縦断面図である。
【図３】図２のＡ−Ａ線に沿った横断面図である。
【図４】実施例１の電気コネクタハウジングの平面図である。
【図５】正面図である。
【図６】接続端子を収納した状態の縦断面図である。
【図７】ホルダの平面図である。
【図８】図７のＢ−Ｂ線に沿った横断面図である。
【図９】縦断面図である。
【図１０】ホルダに接続端子を嵌入した状態の横断面図である。
【図１１】縦断面図である。
【図１２】上部カバーの底面図である。
【図１３】縦断面図である。
【図１４】実施例２の電気コネクタハウジングの正面図である。
【図１５】接続端子を収納した状態の縦断面図である。
【図１６】中間ホルダの縦断面図である。
【図１７】組立状態の説明図である。
【図１８】実施例３の電気コネクタハウジングの正面図である。
【図１９】縦断面図である。
【図２０】中間ホルダの横断面図である。
【図２１】縦断面図である。
【図２２】下部カバーの縦断面図である。
【図２３】実施例４の電気コネクタハウジングの平面図である。
【図２４】正面図である。
【図２５】縦断面図である。
【図２６】中間上部カバーの底面図である。
【図２７】縦断面図である。
【図２８】外装カバーの正面図である。
【図２９】縦断面図である。
【図３０】組立状態の縦断面図である。
【図３１】実施例５の電気コネクタハウジングの正面図である。
【図３２】縦断面図である。
【図３３】外装カバーの正面図である。
【図３４】縦断面図である。
【図３５】組立状態の縦断面図である。
【図３６】実施例６の電気コネクタハウジングの正面図である。
【図３７】縦断面図である。
【図３８】中間ホルダの底面図である。
【図３９】縦断面図である。
【図４０】外装カバーの正面図である。
【図４１】縦断面図である。
【図４２】組立状態の縦断面図である。
【図４３】従来例の斜視図である。
【符号の説明】
【００１２】
１１  接続端子
１２  接続部
１３  中間部
１４  圧着部
１５  電線
１６  切込部
２１  ホルダ
２２  上部カバー
３１、４１、７１  中間ホルダ
４２  下部カバー
５１  中間上部カバー
５２、６１、７２  外装カバー
【発明を実施するための最良の形態】
【００１３】
本発明を図示の実施例に基づいて詳細に説明する。
【実施例１】
【００１４】
図１は使用する接続端子の平面図、図２は一部を切欠した縦断面図、図３は図２のＡ−Ａ線に沿った横断面図である。接続端子１１の前部には角筒状の接続部１２が設けられ、中間部１３を経た後部に圧着部１４によって電線１５が接続されている。また、接続部１２の底部には切込部１６が形成されている。【００１５】
図４は実施例１の電気コネクタハウジングの平面図、図５は正面図、図６は接続端子１１を収納した状態の縦断面図であり、ハウジングは下部のホルダ２１と上部の上部カバー２２との組立体から成っている。ホルダ２１上の複数の溝部２１ａ内に接続端子１１がそれぞれ収容され、またホルダ２１上には上部カバー２２が配置され、溝部２１ａは上部カバー２２により覆われている。なお、上部カバー２２の上面には相手側電気コネクタハウジングと共働してロックを行う可撓性を有する橋絡部２２ａ、ロック用突起２２ｂ、ロックを外すための押圧部２２ｃが設けられている。【００１６】
図７はホルダ２１の平面図、図８は図７のＢ−Ｂ線に沿った横断面図、図９は縦断面図である。ホルダ２１の上部には、長手方向にそれぞれ複数個の溝部２１ａが設けられ、溝部２１ａの底部には接続端子１１の切込部１６に嵌入する嵌入突起２１ｂが設けられ、更に底面の前端には接続端子１１の前方抜けを防止すると共に、相手側接続端子を案内するためのガイドを有する前壁部２１ｃが設けられている。また、溝部２１ａの内側部の両側には、収容した接続端子１１の中間部１３を係止するための上下方向係止突起２１ｄが形成されている。更に、ホルダ２１の四隅に錠止孔２１ｅが設けられている。【００１７】
図１０はホルダ２１に接続端子１１を上方から嵌入した状態の横断面図、図１１はその縦断面図であり、接続端子１１は嵌入突起２１ｂ、前壁部２１ｃにより前後方向への移動が防止され、係止突起２１ｄにより上下方向の移動が防止されて固定される。【００１８】
図１２は上部カバー２２の底面図、図１３は縦断面図であり、平面図は図４と同じである。この上部カバー２２には、接続端子１１の接続部１２の後部に係合して各接続端子１１の後方移動を防止するための共用の係止突起２２ｄが設けられている。また、前部には前壁部２２ｅが設けられていると共に、前壁部２２ｅには相手側の接続端子を受け入れるガイドを備えた開口部２２ｆが形成されている。更に、上部カバー２２の四隅には、ホルダ２１に設けた錠止孔２１ｅに嵌合する錠止爪２２ｇが下方に向けて設けられている。【００１９】
図１０、図１１に示すように接続端子１１を固定したホルダ２１に対して上部カバー２２を被せて、錠止孔２１ｅに錠止爪２２ｇを嵌合すると、ホルダ２１と上部カバー２２は図５、図６に示すように連結される。【００２０】
この状態において、接続端子１１はホルダ２１、上部カバー２２により前後方向及び上下方向への移動が強固に防止されることになる。そして、この電気コネクタハウジングは相手側電気コネクタハウジングと共働して、接続端子同士の嵌合により電気コネクタとしての機能が発揮される。
【実施例２】
【００２１】
図１４は実施例２の電気コネクタハウジングの正面図、図１５は接続端子１１を収納した縦断面図であり、平面図は図４と同じであり、この実施例２は実施例１とほぼ同等の端子収容部を積層したものである。実施例１と同じホルダ２１上にホルダを兼ねた２個の中間ホルダ３１、更に実施例１と同じ上部カバー２２が積層されており、それぞれホルダ２１、中間ホルダ３１に接続端子１１が収容されている。【００２２】
図１６は中間ホルダ３１の縦断面図であり、平面図はホルダ２１の図７と同じ構造であり、底面図は上部カバー２２の図１２と同じ構造である。中間ホルダ３１の底面には図１２と同様に、係止突起３１ａ、前壁部３１ｂ、開口部３１ｃ及び四隅の錠止爪３１ｄが設けられている。また、上面には溝部３１ｅ、嵌入突起３１ｆ、前壁部３１ｇ、上下方向係止突起３１ｈ及び四隅の錠止孔３１ｉが設けられている。【００２３】
この実施例２においては、図１７に示すように、ホルダ２１の溝部２１ａ内に接続端子１１を収容し、嵌入突起２１ｂ、係止突起２１ｄ、前壁部２１ｃにより係止する。次に、同様に接続端子１１を収容した中間ホルダ３１を順次に被着し、錠止爪３１ｄをホルダ２１の錠止孔２１ｅ、下段の中間ホルダ３１の錠止孔３１ｉに嵌合することにより錠止する。【００２４】
上段の中間ホルダ３１上に上部カバー２２を被着し、上部カバー２２の係止突起２２ｄにより接続端子１１を固定し、錠止爪２２ｇを中間ホルダ３１の錠止孔３１ｉに嵌合して錠止を行う。【００２５】
このようにして、各段に挿入された接続端子１１はそれぞれ前後方向への移動が防止され固定されることになる。
【実施例３】
【００２６】
図１８は実施例３の電気コネクタハウジングの正面図、図１９は縦断面図であり、平面図は図４と同じである。中間ホルダ４１の上部に実施例１と同じ上部カバー２２が被着され、中間ホルダ４１の下部には下部カバー４２が被着されている。【００２７】
図２０は中間ホルダ４１の横断面図、図２１は縦断面図であり、平面図、底面図は共に図７と同じ構造とされ、上下対称形とされている。中間ホルダ４１の上下部には、ホルダ２１と同様に長手方向に複数個の溝部４１ａ、嵌入突起４１ｂ、前壁部４１ｃ、上下方向係止突起４１ｄ及び四隅の錠止孔４１ｅが設けられている。この中間ホルダ４１の溝部４１ａには、接続端子１１が上下対称に収納されるようになっている。【００２８】
図２２は下部カバー４２の縦断面図であり、平面図は図１２と同じ構造とされている。この下部カバー４２は上部カバー２２から可撓性橋絡部２２ａを除いたものとほぼ同様とされ、係止突起４２ａ、前壁部４２ｂ、開口部４２ｃ、錠止爪４２ｄが設けられている。【００２９】
この上部カバー２２、下部カバー４２により接続端子１１を収納した中間ホルダ４１を覆い、錠止爪、錠止孔同士を嵌合することにより、組立が完了する。【００３０】
この状態においても、接続端子１１は中間ホルダ４１により前後方向への移動が防止され、更に上部カバー２２、下部カバー４２によっても接続端子１１は後方への移動が防止されて固定される。
【実施例４】
【００３１】
図２３は実施例４の電気コネクタハウジングの平面図、図２４は正面図、図２５は縦断面図であり、実施例３とほぼ同じホルダ２１に設けた複数個の上下の溝部２１ａ内に接続端子１１がそれぞれ収容され、また溝部２１ａは中間上部カバー５１により覆われ、更にこれらのホルダ２１、中間上部カバー５１は外装カバー５２により覆われている。なお、ホルダ２１は実施例３のホルダ２１と比較して前面部の面取りは成されていない。【００３２】
図２６は中間上部カバー５１の底面図、図２７は縦断面図であり、この中間上部カバー５１の底面には、係止突起５１ａが設けられており、四隅にはホルダ２１に設けた錠止孔２１ｅに錠止する錠止爪５１ｂが設けられている。
【００３３】
図２８は外装カバー５２の正面図、図２９は縦断面図であり、平面図は図２３と同じ構造である。外装カバー５２の内部は空洞とされ、その上部には可撓性橋絡部５２ａ、ロック用突起５２ｂ、押圧部５２ｃが設けられ、前面には前壁部５２ｄ、開口部５２ｅ、ホルダ２１の前端が嵌合する嵌合部５２ｆが設けられている。【００３４】
接続端子１１をホルダ２１の上面に嵌着し、ホルダ２１に中間上部カバー５１を被着してから、これらの組立体を図３０に示すように外装カバー５２内に挿入することにより、図２５に示すような電気コネクタハウジングが得られる。なお、図示は省略しているが、外装カバー５２の内面にはホルダ２１、中間上部カバー５１を錠止する錠止部が設けられている。【００３５】
この状態において、接続端子１１はホルダ２１により前後方向への移動が防止され、更に中間上部カバー５１によっても接続端子１１は後方への移動が防止される。この実施例４においては、外装カバー５２を用いているため、実施例１〜３に比較して構造的に強固となる。
【実施例５】
【００３６】
図３１は実施例５の電気コネクタハウジングの正面図、図３２は縦断面図であり、平面図は図２３と同じ構造である。実施例３と同じ中間ホルダ４１に設けた複数個の上下の溝部４１ａ内に接続端子１１がそれぞれ収容され、また上下の溝部４１ａは実施例４の中間上部カバー５１により覆われ、更にこれらの中間ホルダ４１、中間上部カバー５１は外装カバー６１により覆われている。【００３７】
図３３は外装カバー６１の正面図、図３４は縦断面図である。外装カバー６１の内部は空洞とされ、その上部には可撓性橋絡部６１ａ、ロック用突起６１ｂ、押圧部６１ｃが設けられ、前面には前壁部６１ｄ、開口部６１ｅ、中間ホルダ４１の前端が嵌合する嵌合部６１ｆが設けられている。【００３８】
接続端子１１を中間ホルダ４１の上下の溝部４１ａに嵌着し、中間ホルダ４１に中間上部カバー５１を被着してから、図３５に示すように外装カバー６１内に挿入することにより、図３２に示すような電気コネクタハウジングが得られる。【００３９】
この状態において接続端子１１は中間ホルダ４１により前後方向への移動が防止され、更に中間上部カバー５１によっても接続端子１１は後方への移動が防止される。
【実施例６】
【００４０】
図３６は実施例６の電気コネクタハウジングの正面図、図３７は縦断面図であり、平面図は図２３と同じ構造とされている。実施例１のホルダ２１の上に２段に中間ホルダ７１、更に実施例４と同じ中間上部カバー５１が積層されている。ホルダ２１、中間ホルダ７１に接続端子１１が収納され、ホルダ２１、中間ホルダ７１、中間上部カバー５１は外装カバー７２により覆われている。【００４１】
図３８は中間ホルダ７１の底面図、図３９は縦断面図であり、平面図は図７と同じである。中間ホルダ７１の上部には、複数個の溝部７１ａが設けられ、更に溝部７１ａ内に嵌入突起７１ｂ、前壁部７１ｃ、上下方向嵌入突起７１ｄ、四隅に錠止孔７１ｅが設けられている。また、底面には係止突起７１ｆ、四隅に錠止爪７１ｇが設けられている。【００４２】
図４０は外装カバー７２の正面図、図４１は縦断面図であり、可撓性橋絡部７２ａ、ロック用突起７２ｂ、押圧部７２ｃが設けられ、前面には前壁部７２ｄ、開口部７２ｅ、ホルダ２１、中間ホルダ７１の前端を嵌入する嵌入部７２ｆが設けられている。【００４３】
外装カバー７２をホルダ２１、中間ホルダ７１、中間上部カバー５１の組立体に対して、図４２に示すように嵌合することにより、図３７に示すような状態の電気コネクタハウジングが得られる。【００４４】
この状態において、接続端子１１はホルダ２１、中間ホルダ７１により前後方向への移動が防止され、更に端子中間上部カバー５１によっても接続端子１１は後方への移動が防止される。
【産業上の利用可能性】
【００４５】
なお、上述の実施例においては受型の接続端子のハウジングについて説明したが、挿入型の接続端子であっても同様に構成することができる。
【図１】
0004758426.tif 000002
【図２】
0004758426.tif 000003
【図３】
0004758426.tif 000004
【図４】
0004758426.tif 000005
【図５】
0004758426.tif 000006
【図６】
0004758426.tif 000007
【図７】
0004758426.tif 000008
【図８】
0004758426.tif 000009
【図９】
0004758426.tif 000010
【図１０】
0004758426.tif 000011
【図１１】
0004758426.tif 000012
【図１２】
0004758426.tif 000013
【図１３】
0004758426.tif 000014
【図１４】
0004758426.tif 000015
【図１５】
0004758426.tif 000016
【図１６】
0004758426.tif 000017
【図１７】
0004758426.tif 000018
【図１８】
0004758426.tif 000019
【図１９】
0004758426.tif 000020
【図２０】
0004758426.tif 000021
【図２１】
0004758426.tif 000022
【図２２】
0004758426.tif 000023
【図２３】
0004758426.tif 000024
【図２４】
0004758426.tif 000025
【図２５】
0004758426.tif 000026
【図２６】
0004758426.tif 000027
【図２７】
0004758426.tif 000028
【図２８】
0004758426.tif 000029
【図２９】
0004758426.tif 000030
【図３０】
0004758426.tif 000031
【図３１】
0004758426.tif 000032
【図３２】
0004758426.tif 000033
【図３３】
0004758426.tif 000034
【図３４】
0004758426.tif 000035
【図３５】
0004758426.tif 000036
【図３６】
0004758426.tif 000037
【図３７】
0004758426.tif 000038
【図３８】
0004758426.tif 000039
【図３９】
0004758426.tif 000040
【図４０】
0004758426.tif 000041
【図４１】
0004758426.tif 000042
【図４２】
0004758426.tif 000043
【図４３】
0004758426.tif 000044